(57)【要約】【課題】開口部を複数の扉で開閉でき、さらに、扉の境界部分の密閉性も高く、シンプルな構成の貯蔵庫を提供する。【解決手段】前面が開口部１３になった箱本体１４と、開口部１３を開閉する内扉１２および外扉１１とを有する貯蔵庫であって、２枚の扉１１および１２の開口部１３の縁に面した部分がシール部２６および２１ａになり、外扉１１が旋回型で内扉１２の一部１２ｃに面する部分がシール部２７となった貯蔵庫１を提供する。内扉１２を閉じると、開口部１３の縁２３とシール部２１ａが密着し、さらに、外扉１１を閉じると、開口部１３の縁２４とシール部２６が密着し、外扉１１のシール部２７と内扉１２の前面１２ａの一部１２ｃが密着し、箱本体１４を密封できる。シール部２１ａ、２６および２７は面同士の重なりになり、シンプルな構成で開口部１３を複数の扉により効率よく密封できる。【選択図】        図４
2004190910.tif 000002
【特許請求の範囲】
【請求項１】
前面が開口部となった断熱性の箱本体と、
前記開口部を開閉する第１および第２の扉とを有し、
これら第１および第２の扉の前記開口部の縁に面した部分がシール部となり、当該第１および第２の扉を閉じたときに、これら第１および第２の扉の少なくとも一部が重なり合い、外側に位置する前記第１の扉は旋回型で、その内側に位置する前記第２の扉に面する部分もシール部となっている貯蔵庫。
【請求項２】
請求項１において、前記第２の扉は前記箱本体に対して着脱可能である貯蔵庫。
【請求項３】
請求項１において、前記第２の扉は旋回型である貯蔵庫。
【請求項４】
請求項１において、前記第２の扉は前記箱本体に対してスライド可能である貯蔵庫。
【請求項５】
請求項１において、前記第２の扉の外側で、前記第１の扉と重なる部分、または前記第１の扉の内側で前記第２の扉と重なる部分が凹んでいる貯蔵庫。
【発明の詳細な説明】
【０００１】
【発明の属する技術分野】
本発明は、袋詰めされた穀物などの貯蔵物を一定の温度で保存するのに適した貯蔵庫に関するものである。
【０００２】
【従来の技術】
玄米や豆類などが収容された袋体などの貯蔵物を貯蔵する貯蔵庫として、旋回式の２枚の扉で箱本体の開口部を開閉する貯蔵庫が知られている。このような貯蔵庫は、特開平１０−３０４７６０号公報、特開平１０−１６４９６９号公報（特許第３１０８７５８号）に開示されている。
【０００３】
【特許文献１】
特開平１０−３０４７６０号公報
【特許文献２】
特開平１０−１６４９６９号公報
【０００４】
【発明が解決しようとする課題】
旋回式の２枚の扉で箱本体の開口を開閉する場合、それらの扉が合わさる部分のシールが問題となる。箱本体が小さく、その開口も小さければ、旋回式の１枚の扉でその開口を開閉することにより開口の縁を外側から封止できる。したがって、開口のシールは簡単であり、貯蔵庫の断熱性または気密性を確保し易い。
【０００５】
貯蔵できる容量を上げるために箱本体を大きくした場合、開口が小さければ、貯蔵物の搬出入に手間がかかる。一方、箱本体の開口を大きくすると、貯蔵物の搬出入が容易になるが、開口を１枚の扉で開閉することは、サイズ、開閉のし易さ、およびコストなどの点で非現実的である。
【０００６】
特開平１０−３０４７６０号公報に記載の貯蔵庫では、本体（箱本体）の開口の中央となる部分に中柱が配置され、開口を２枚の旋回型の扉を用いて開閉している。この方式は、中柱により開口が２分されるので、開口が２つあるのと等しく、中柱も含めて構成される各々の開口の縁を各々の扉で外側から封止できるので密閉性は高い。しかしながら、開口が大きくても、中柱により２分されているので、実際に貯蔵物を搬出入できる実質的な開口のサイズは大きくならない。したがって、小物を出し入れする貯蔵庫であれば良いが、穀物袋のような大きな貯蔵物の搬出入には向いていない。貯蔵物の搬出入の邪魔になる中柱を着脱できるようにすることによりこの問題は一見解決する。しかしながら、中柱を床面あるいは天井面に着脱することは面倒である。また、中柱を着脱できるようにすると、着脱可能な部分となる中柱と床面あるいは天井面とのシール性が問題となり、それを解決しようとすると中柱の取り付け部分の構造が複雑にならざるを得ない。
【０００７】
特開平１０−１６４９６９号公報に記載の貯蔵庫では、一方の扉に中柱に相当する仕切部材を取り付けできる構成とし、仕切部材を取り外す面倒を回避している。しかしながら、仕切部材を扉と共に動かすような構成の扉は形状が複雑で高コストになる。また、仕切部材を扉と共に動かすために、仕切部材は床面あるいは天井面に固定されない。したがって、仕切部材と天井面および床面との間にある程度のクリアランスが必要となり、そのクリアランスをシールしないと開口を密閉できなくなるという問題がある。
【０００８】
そこで、本発明においては、貯蔵物の搬出入の作業性に優れていると同時に、扉を閉じたときの開口部のシールをシンプルな構成で実現でき、簡易な構造で密閉性および断熱性の高い貯蔵庫を提供することを目的としている。
【０００９】
【課題を解決するための手段】
本発明においては、複数の扉で開口を開閉しようとしたときに密閉性を保つためには好ましいが、取り外しできるようにしたとたんに逆に密閉性を保持することが難しくなる中柱あるいは仕切部材を用いるのではなく、箱本体の開口部の縁部分と重なる部分では十分なシール部分がある複数の扉を、それらの一部が重なり合う構成として、さらに、扉同士が重なる部分にもシール性を与えることにより開口の全体を密閉できるようにしている。すなわち、本発明の貯蔵庫は、前面が開口部となった断熱性の箱本体と、開口部を開閉する第１および第２の扉とを有し、これら第１および第２の扉の開口部の縁に面した部分がシール部となり、第１および第２の扉を閉じたときにこれら第１および第２の扉の少なくとも一部が重なり合い、外側に位置する第１の扉は、旋回型で、その内側に位置する第２の扉に面する部分もシール部になっている。
【００１０】
本発明の貯蔵庫においては、第１および第２の扉は、開口部の縁に面した部分がシール部となっているので、第１および第２の扉が面する開口部の縁の部分はシールされる。そして、外側に位置する第１の扉を旋回型とすることにより、第１の扉を閉じたときには、第２の扉に対して第１の扉の内側が重なり、扉同士が重なり合う部分は面と面が向かい合うように着脱される。このため、第１の扉の内側のシール部分を第２の扉に面する部分まで伸ばしておくことにより、高いシール性能が容易に得られる。したがって、本発明の貯蔵庫によれば、扉同士の境界部分をそれぞれにシール性能のある扉を、重ね合わせることにより密封性を確保している。このため、中柱や仕切部材は不要であり、中柱を取り外す手間はなく、また、仕切部材を動かすために発生する床面や天井面とのクリアランスからの漏れもない。そして、開口面積が小さくても良いときは第１の扉を開閉し、大きな開口面積が必要なときは、第１および第２の扉を開くだけで簡単に大きな開口面積を得ることができる。
【００１１】
そして、外側に位置する第１の扉が頻繁に開閉されても、第２の扉に重なり合う部分も含めて第１の扉がシール性を確保する部分は、面と面とが向かい合ってシールする構成にすることが可能である。このため、第１の扉においては、シールする部分をスライドさせる必要がなく、スライドさせるためのクリアランスを確保する必要がなくシールが容易である。さらに、スライドすることによりシール材が磨り減るような恐れもない。このため、本発明により、２枚あるいは３枚以上の複数枚の扉を用い、簡易な構成で高いシール性能が得られ、さらに、複数枚の扉でカバーする大きさの開口部であって中柱で区切られることのない開口部を備えた貯蔵庫を提供できる。したがって、貯蔵物の搬出入の作業性に優れていると同時に、断熱性および密封性に優れた貯蔵庫を提供できる。
【００１２】
第２の扉は箱本体に対して着脱して開口部が開放できるようにしたり、第２の扉も旋回型とすることにより、両開タイプにすることも可能である。また、第２の扉をスライド可能とすることにより、第２の扉で閉められている部分へのアクセスを容易にすることも可能である。
【００１３】
本発明では、第１および第２の扉の境界部分は、これらの扉が重なり合うので、これらの扉の厚みが境界部分でも一様であると段違いの組み合わせの扉になる。一方、第２の扉の外側で、第１の扉と重なる部分、または第１の扉の内側で第２の扉と重なる部分を凹ませることにより、扉同士の段差を低くしたり、扉同士の前面が平らになるようにすることも可能である。
【００１４】
【発明の実施の形態】
以下に図面を参照して本発明をさらに詳しく説明する。図１および図２は本発明に係る貯蔵庫の外観を示す図であり、図１に扉を閉じた状態、図２に扉を開いた状態を示してある。本例の貯蔵庫１は、前面が開口部１３となった断熱性の箱本体１４と、開口部１３を開閉する第１の扉１１および第２の扉１２とを有している。第１の扉１１および第２の扉１２は、段違いの扉であり、内側に第２の扉１２、外側に第１の扉１１が位置している。第１の扉または外扉１１は、箱本体１４の一方の側壁１４ａに旋回可能に取り付けられ、第２の扉または内扉１２は、開口部１３に対して着脱可能とされている。このため、図２（ａ）に示すように、外扉１１を開いて開口部１３のほぼ半分を開いた状態にすることができる。また、図２（ｂ）に示すように、外扉１１を開いた後に、内扉１２を開口部１３から取り外して開口部１３の全体を開いた状態にすることができる。
【００１５】
したがって、外扉１１を開くだけで貯蔵物を搬出入可能な場合で外扉１１だけを開き、貯蔵物がさらに大きかったり、あるいは内扉１２の方に直に貯蔵物を入れたい場合は内扉１２も開くことが可能であり、箱本体１４の内部を有効に利用できる。箱本体１４の上部には、冷却装置、暖房装置、加湿装置のいずれかあるいはすべてを含む環境制御ユニット１５が取り付けられており、庫内、すなわち、箱本体１４の内部の温度や湿度などの環境を所望の条件に制御することができる。
【００１６】
図３に内扉１２が箱本体１４に取り付ける様子を示してある。内扉１２は、ほぼ縦長の長方形をしており、その前面側の外扉１１よりの側壁を除き、残りの３方の側壁が鍔状に広がった形状をしている。この鍔状部分（フランジ部分）２１の背面２１ａは箱本体１４の開口部１３を縁取りする縁部分２２と面するようになっており、この面２１ａが内扉１２におけるシール部分となっている。さらに、図２（ｂ）に示したように、本体１４の開口部１３の縁部分２２のうち、内扉１２のシール部分２１ａに対面する部分は外扉１１に面する縁２４に対してフランジ部分２１の厚みだけ一段低くなった面２３となっている。このため、内扉１２を取り付けると、内扉１２の前面１２ａと開口部１３の残りの縁部分２４は平坦（面位置）になる。内扉１２のシール部分２１ａにはシール用のパッキン２８が取り付けられており、開口部１３の縁面２２と、内扉１２のシール面２１ａとが向かい合わされた状態で内扉１２が取り付けられることにより、開口部１３のうち、内扉１２と面した部分は確実に効率よく密閉される。
【００１７】
内扉１２は、箱本体１４に内扉１２を着脱可能にするために、その背面側に配置された２つの可動式ラッチ３１と、箱本体１４の内扉側の側壁１４ｂに向かって突き出た位置決め用ピン３５とを備えている。このため、箱本体１４の側壁１４ｂの内面に形成された穴に位置決め用ピン３５を差し込んで扉１２の一方の側を固定し、箱本体１４の底面１４ｃと天井面１４ｄに設けられたラッチ固定用穴３２に可動式ラッチ３１から延びるピンを差し込むことにより扉１２の他方の側を固定することができる。
【００１８】
外扉１１は、外扉１１を閉じたときに、内扉１２の外扉側の一部１２ｃに重なり合うサイズとなっている。外扉１１は、その背面１１ｂの周辺部分がシール面２６および２７になっており、そのシール面２６および２７にはシール用パッキン２８が取り付けられている。シール面２６は、外扉１１を閉じると、開口部１３の縁のうち、内扉１２と接する縁２３より一段高くなった外扉１１に面した縁部分２４に密着する部分である。シール面２７は、開口部１３の縁２４と同じ高さになった内扉１２の前面１２ａの境界部分１２ｃと密着する部分である。本例の貯蔵庫１においては、内扉１２の側で外扉１１が接するシール面が平坦になるように設計されているので、背面１１ｂが平坦な外扉１１により開口部１３を密閉することができる。
【００１９】
図４に、内扉１２および外扉１１により箱本体１４の開口部１３が密閉される様子を示してある。本例の貯蔵庫１では、図４（ａ）に示すように、内扉１２が箱本体１４に対して着脱可能であり、外側に位置する扉１１を開いた状態で、内扉１２を箱本体１４から外すことができる。このため、２枚の扉１１および１２を開くだけで箱本体１４の開口部１３の全体が開放され、開口部１３から箱本体１４の内部に貯蔵物を入出庫または搬出する作業が容易である。
【００２０】
図４（ｂ）に示すように、内扉１２を箱本体１４に取り付けた状態であると、旋回可能に取り付けられた外扉１１を開閉することにより、開口部１３の少なくとも半分を使用することができる。したがって、このサイズの開口で十分なときは外扉１１を開閉するだけで貯蔵庫１を利用できる。この貯蔵庫１に穀物袋を貯蔵物として収納する場合、貯蔵庫１の幅は複数の穀物袋を並べて配置できる程度となる。したがって、最初に貯蔵庫１に穀物袋を収納するときは、内扉１２および外扉１１を開けて貯蔵庫１の内部に穀物袋をいっぱいになるように入れることができる。その後、穀物袋を１つずつ取り出すときは、内扉１２を開ける必要はなく、外扉１１を開けるだけで良い。外扉１１の側の穀物袋が消費されたときは再び内扉１２もあわせて開けることにより、貯蔵庫１の内部の穀物袋の配置を取り出しやすいように整えることができる。
【００２１】
したがって、内扉１２が開閉される機会は外扉１１に比べて極端に少ないと予想される。このため、上述したように内扉１２はラッチで着脱できる構成が本例の貯蔵庫１では採用されている。内扉１２を取り付けると、内扉１２のシール部分２１ａと開口部１３の縁部分２３が密着し、開口部１３のほぼ半分が内扉１２により密閉される。このときのシール性能については、内扉１２のシール部分２１ａと開口部１３の縁部分２３は面同士の重なり合いで密着されるので、非常に高い。また、中柱や仕切部材といった貯蔵庫１の内部を占有したり、貯蔵庫１の内部に突き出た構造物はないので、扉１２および貯蔵庫１の構成はシンプルであり、貯蔵庫１の内部のスペースも広く使いやすい。
【００２２】
また、内扉１２のシール部分２１ａは面が合うように取り付けられるので、スライドさせる必要はなく、クリアランスも不要であり密閉性は高い。さらに、内扉１２の着脱に伴って磨耗することはほとんどなく、シール性能が劣化する恐れもない。
【００２３】
次に、図４（ｃ）に示すように、内扉１２と外扉１１の両方を閉じると、開口部１３は完全に密閉される。内扉１２については、上述した通りであり、その密閉性は十分である。また、外扉１１は、シール部分２６が開口部１３の縁部分２４に密着するので、開口部１３の外扉１１に面した部分も外扉１１により密閉される。外扉１１においても、内扉１２と開口部１３と同様に、外扉１１のシール面２６と、開口の縁２４との面同士の重なりにより実現され、高いシール性能が得られる。さらに、外扉１１は旋回するようになっているので、シール面同士がスライドすることはなく、シールされる部分にクリアランスは不要なので、非常にシンプルな構成で高い密閉度が得られる。
【００２４】
そして、外扉１１は旋回型であるので、外扉１１のシール部分２６は開口部１３の縁部分２４、すなわち、シール面に対してほぼ垂直な方向から重なり合う。このため、面同士を擦り合わせる方式のようにシール部分が磨耗することはなく、外扉１１の開閉に伴ってシール部分の性能が劣化または低減するのを防止でき、耐久性も高い。
【００２５】
さらに、本例の貯蔵庫１では、外扉１１を閉じると外扉１１が内扉１２に重なり合い、外扉１１のシール部分２７が内扉１１の前面１２ａの一部１２ｃに密着する。このため、外扉１１と内扉１２との境界部分も効率良く密閉される。境界部分の密閉も、内扉１１の前面１２ｃと外扉１２の背面１１ｂのシール部分２７といった面同士の重なり合いにより実現されるので、高いシール性能が得られ、シールされる部分にクリアランスが不要なので、シンプルな構成で高い密閉度が得られる。そして、この部分においても、内扉１１の前面１２ａに対してほぼ垂直な方向からシール部分２７が重なり合うので、外扉１１の開閉に伴うシール部分の劣化を防止できる。
【００２６】
特に、床面１４ｃあるいは天井面１４ｄと、扉同士の境界部分のシールは、図５に示すように、まず、内扉１２のシール面２１ａによりシールされ、次に内扉１２に重なった外扉１１のシール面２７によりシールされる。したがって、本例の貯蔵庫１では、仕切部材や中柱のように床面や天井面とスライドしながらシールする必要のある部分はないのに加えて、最もシールが難しい床面あるいは天井面においても、扉同士の重なり合いにより、極めて効率良くシールできている。このため、本例の貯蔵庫１の密閉性および断熱性は極めて高い。
【００２７】
すなわち、本例の貯蔵庫１では、開口部１３を密閉する箇所の全てが面同士の接触によりシールされると共に、中柱を動かす貯蔵庫のようにシールされる部分にクリアランスを設ける必要がない。このため、高いシール性能が得られると共に、そのシール性能を非常にシンプルな構成で実現できる。しかも、面と面が擦り合わされるのではなく、面と面が垂直な方向から押し付けられて密着するので、扉の開閉に起因したシール性能の劣化を未然に防止できる。
【００２８】
このように、本例の貯蔵庫１では、シール性能のある扉（外扉１１および内扉１２）を重ね合わせることにより扉同士の境界部分をシールするようにしている。したがって、中柱または仕切部材が要らず、中柱を取り外す手間を省いたり、仕切部材を動かすために必要な床面と天井面とのクリアランスに起因した漏れもなくすことができる。そして、開口面積が小さくても良いときは、外扉１１を開閉し、大きな開口面積が必要なときは、双方の扉１１および１２を開くだけで簡単に大きな開口面積を得ることができる。
【００２９】
また、大きな開口面積を得るために、外扉１１が頻繁に開閉されたとしても、外扉１１がシール性を確保する部分、すなわち、開口部１３の縁面２４と内扉１２の前面の一部１２ｃは、面と面をスライドさせることなく重ね合わせた状態でシールする構成となっている。このため、仕切部材を動かすときのようなクリアランスは不要であり、簡易な構成で高いシール性能が得られる。したがって、２枚の扉を用いて簡易な構成で高いシール性能を得ることができるので、複数枚の扉でカバーする大きさの開口部であって中柱で区切られることのない開口部を備えた貯蔵庫１を提供できる。これにより、貯蔵物の搬出入の作業性に優れていると同時に、断熱性および密封性に優れた貯蔵庫１を提供できる。
【００３０】
また、貯蔵庫１では、内扉１２を箱本体１４から着脱できるようになっており、図４（ｂ）に示したように、外扉１１だけを開いて開口部１３のほぼ半分を開放した状態で貯蔵物の搬出入することも可能であり、貯蔵物の量やサイズに応じてフレキシブルに開口部１３のサイズを切り替えることができる。したがって、本例の貯蔵庫１は、用途に柔軟に対応することが可能であり、非常に便利な形態となっている。
【００３１】
図６に扉１２の背面２１ａにパッキン２８を配置する代りに、箱本体１４の開口部１３の縁２３に複数の可撓性のフィン５１を配置しシールした例を示してある。箱本体１４の開口部１３の縁２３には軟質樹脂から形成された複数のフィン５１を備えた樹脂フレーム５４が取り付けられており、内扉１２のシール部分２１ａにフィン５１が当たることにより密封される。そして、複数のフィン５１により、密封する部分に複数の層が形成されるので、断熱性も高い。したがって、内扉１２により開口部１３を密閉できる。また、内扉１２の開口部１３の縁２３に対面する部分（シール部分２１ａ）に繋がる直角な部分２１ｄに、複数のフィン５３を備えた樹脂フレーム５４を取り付けられており、この直角部分２１ｄにおいてもフィン５３を介して箱本体１４の側壁１４ｂの内面１４ｅがシールされる部分となり、開口部１３をさらに効率よく密閉および断熱できる。
【００３２】
図７に旋回型の内扉４２を備えた貯蔵庫２の外観を示してある。また、図８（ａ）に外扉１１を開き、内扉４２を閉じた状態の貯蔵庫２を示し、図８（ｂ）に２つの扉１１および４２を開いた状態を示してある。この貯蔵庫２においては、内扉４２がヒンジ５８を介して箱本体１４の側壁１４ｂに対して旋回可能に取り付けられている。箱本体１４の開口部１３の縁部分２２のうち、内扉４２のシール部分２１ａに対面する部分は内扉４２の厚みだけ一段低くなった面２３となっている。このため、内扉４２を閉じると、内扉４２の内面の周囲（縁）に沿ったシール面２１ａと開口部１３の縁面２３がパッキン２８を介して重なり合い、これらの面２１ａおよび２３が合うことによりシールされる。箱本体１４の床面１４ｃや天井面１４ｄから内扉４２のシール面２１ａに対面するような縁面を備えた凸部を設けることも可能であるが、凸部が貯蔵物を搬出入する際の障害になる可能性がある。これに対し、床面１４ｃや天井面１４ｄがフラットな箱本体１４であれば搬出入の作業も行い易い。
【００３３】
この貯蔵庫２では、図９（ａ）に示すように、２枚の扉１１および４２を開いた状態で貯蔵物の搬出入を行うことができ、また、図９（ｂ）に示すように、内扉４２を閉じ、外扉１１を開いた状態で貯蔵物の搬出入を行うことができる。内扉４２を閉じた状態では、内扉４２のシール面２１ａと一段低い縁面２３がパッキン２８を介してシールされる。そして、この状態から、図９（ｃ）に示すように、外扉１１を閉じると、外扉１１のシール面２６と開口部１３の縁面２４がパッキン２８を介してシールされ、外扉１１のシール面２７と内扉４２の前面１２ａの一部１２ｃがパッキン２８を介してシールされる。
【００３４】
図１０はスライド型の内扉５２を備えた貯蔵庫３の外観であり、図１０（ａ）に外扉１１を開いた状態を示し、図１０（ｂ）に内扉５２をスライドさせた状態を示してある。この貯蔵庫３では、箱本体１４の前面を縁取る縁面２２より内扉５２の厚みだけ一段低くなった縁面２３を備えている。この縁面２３は内扉５２がスライドする範囲にわたって、すなわち、本体１４の側壁１４ｂの内面から側壁１４ａの内面まで延びている。内扉４２のシール面２１ａはパッキン２８を介してこの縁面２３との間でシールされる。
【００３５】
この貯蔵庫３では、図１１（ａ）に示すように、外扉４１を開き、内扉５２を必要に応じてスライドさせながら貯蔵物の搬出入を行うことができ、貯蔵庫３の内部のうち、内扉を５２で閉められている部分に対しても容易にアクセスできる。図１１（ｂ）に示すように、内扉５２を一方の側壁１４ｂに対して押し付けた状態では、内扉５２のシール面２１ａと開口部１３の縁面２３がパッキン２８を介してシールされており、この状態から、図１１（ｃ）に示すように、外扉１１を閉じると、外扉１１のシール面２６と開口部１３の縁面２４がパッキン２８を介してシールされ、外扉１１のシール面２７と内扉５２の前面１２ａの一部１２ｃがパッキン２８を介してシールされる。
【００３６】
さらに、内扉は前面１２ａが平坦な扉である必要はなく、外扉１１のシール面２７と面する部分を凹ませた段差形状にすることも可能である。図１２はそのような内扉６２を備えた貯蔵庫４の例であり、図１２（ａ）に外扉１１を開いた状態、図１２（ｂ）に外扉１１を閉じた状態を示してある。この内扉６２は、一段低くなった段差の前面が外扉１１とのシール面１２ｃとなっている。この貯蔵庫４では、２枚の扉１１および６２を閉じると、２枚の扉の前面１２ａおよび１１ａが段違いになることはなく、双方の扉１１および６２の前面が同一平面となり、見栄えが良い。
【００３７】
また、内扉の前面を平坦とし、外扉の背面の内扉と重なる部分に段差を設け、内扉および外扉の一部が重なり合うようにすることが可能である。すなわち、本発明は、第２の扉の外側で、第１の扉と重なる部分、または第１の扉の内側で第２の扉と重なる部分が凹んでいる貯蔵庫にも適用可能である。また、本発明は、２枚の扉に限定されずに、３枚以上の扉を備えた貯蔵庫にも適用可能である。
【００３８】
【発明の効果】
以上に説明したように、本発明においては、開口部の縁とのシール性のある扉同士が重なり合うようにし、扉同士の境界部分も扉同士の面と面とが重なり合うことでシールするようにしている。したがって、箱本体の開口部を複数の扉で開閉するときに、中柱や仕切部材を用いることなく、複数の扉だけで簡単に密閉することができる。さらに、扉同士の境界も効率良くシールできるので、密封性および断熱性の高い貯蔵庫を提供できる。このため、２枚あるいは３枚以上の扉を用いて、開口が大きく、その開口を邪魔な構造物の無い状態で使えることにより貯蔵物の搬出入の作業性に優れており、それと同時に、扉を閉じることにより密閉性が高く、断熱性能も高い貯蔵庫を提供できる。
【図面の簡単な説明】
【図１】本発明に係る貯蔵庫の外観を示す図である。
【図２】図２（ａ）は貯蔵庫の外扉を開いた状態を示す図であり、図２（ｂ）は外扉および内扉を開いた状態を示す図である。
【図３】貯蔵庫の内扉の構成を示す図である。
【図４】外扉と内扉により箱本体の開口部が開閉される様子を示す図であり、図３（ａ）は外扉および内扉が開いた状態、図３（ｂ）は内扉を箱本体に取り付けた状態、図３（ｃ）は内扉および外扉が閉じた状態を示す図である。
【図５】内扉と外扉とが重なり合って開口部の縁面が密封される様子を拡大して示す図である。
【図６】開口部の縁部分にシール用のフィンを設けた例を示す図である。
【図７】内扉が旋回するタイプの貯蔵庫の外観を示す図である。
【図８】図８（ａ）は図７に示す貯蔵庫の外扉を開いた状態を示す図であり、図８（ｂ）は外扉および内扉を開いた状態を示す図である。
【図９】図７に示す貯蔵庫において外扉と内扉により箱本体の開口部が密閉される様子を示す図であり、図９（ａ）は外扉および内扉を開いた状態、図９（ｂ）は内扉を閉じた状態、図９（ｃ）は内扉および外扉を閉じた状態を示す図である。
【図１０】内扉がスライドするタイプの貯蔵庫の外観を示す図であり、図１０（ａ）は外扉を開いた状態、図１０（ｂ）は外扉を開き、内扉をスライドさせた状態を示す図である。
【図１１】図１０に示す貯蔵庫において外扉と内扉により箱本体の開口部が密閉される様子を示す図であり、図１１（ａ）は外扉を開き、内扉を外扉の側にスライドさせた状態、図１１（ｂ）は内扉で開口部の半分を密閉した状態、図１１（ｃ）は外扉を閉じた状態を示す図である。
【図１２】さらに異なる貯蔵庫を示す図であり、図１２（ａ）は外扉を開いた状態、図１２（ｂ）は外扉を閉じた状態を示す図である。
【符号の説明】
１、２、３、４  貯蔵庫
１１    外扉（第１の扉）
１２、４２、５２、６２  内扉（第２の扉）
１３    開口部
１４    箱本体
２２、２３、２４  縁
２１ａ、２６、２７    シール部分
【図１】
2004190910.tif 000003
【図２】
2004190910.tif 000004
【図３】
2004190910.tif 000005
【図４】
2004190910.tif 000006
【図５】
2004190910.tif 000007
【図６】
2004190910.tif 000008
【図７】
2004190910.tif 000009
【図８】
2004190910.tif 000010
【図９】
2004190910.tif 000011
【図１０】
2004190910.tif 000012
【図１１】
2004190910.tif 000013
【図１２】
2004190910.tif 000014